(57)【要約】【課題】  録画した番組データについて実際に視聴する時間を把握できるようにする。【解決手段】  録画データ記憶手段４に記憶された番組データが再生された際に、その番組名および視聴時間のデータを取得して視聴データ記憶手段７に記憶する視聴時間取得手段６と、再生指令に応じて録画データ記憶手段４に記憶された番組データを再生するとともに、再生時間の提示指令に応じて視聴データ記憶手段７に記憶されている視聴時間のデータに基づいて録画データ記憶手段４に記憶された番組データの視聴時間を予測して出力手段５に視聴予測時間を提示する再生手段５と、を備えている。【選択図】  図２
2006295420.tif 000002
【特許請求の範囲】
【請求項１】
テレビ放送の番組データをその番組名および放送時間のデータとともに録画データ記憶手段に記憶する録画手段と、
前記録画データ記憶手段に記憶された番組データが再生された際に、その番組名および視聴時間のデータを取得して視聴データ記憶手段に記憶する視聴時間取得手段と、
再生指令に応じて前記録画データ記憶手段に記憶された番組データを再生するとともに、再生時間の提示指令に応じて前記視聴データ記憶手段に記憶されている視聴時間のデータに基づいて前記録画データ記憶手段に記憶された番組データの視聴時間を予測して所定の出力手段に視聴予測時間を提示する再生手段と、
を備えた録画再生装置。
【請求項２】
前記再生手段は、再生時間が指定されたときは、視聴予測時間がその指定された再生時間に収まる番組を前記視聴データ記憶手段から検索して前記出力手段に提示することを特徴とする請求項１に記載の録画再生装置。
【請求項３】
前記再生手段は、再生時間が指定されたときは、合計した視聴予測時間がその指定された再生時間に収まる番組の組み合わせを前記視聴データ記憶手段から検索して前記出力手段に提示することを特徴とする請求項１に記載の録画再生装置。
【請求項４】
前記録画データ記憶手段に記憶された各番組データの録画時間と視聴予測時間との比を算出して各番組の重要度を判定する判定手段をさらに備え、前記再生手段は、再生時間が指定されたときは、前記判定手段による判定結果に基づいて提示する番組を選択することを特徴とする請求項２又は３に記載の録画再生装置。
【請求項５】
コンピュータに、
テレビ放送の番組データをその番組名および放送時間のデータとともに録画データ記憶手段に記憶するステップＡと、
再生指令に応じて前記録画データ記憶手段に記憶された番組データを再生するステップＢと、
前記録画データ記憶手段に記憶された番組データが前記ステップＢによって再生された際に、その番組名および視聴時間のデータを取得して視聴データ記憶手段に記憶するステップＣと、
再生時間の提示指令に応じて前記視聴データ記憶手段に記憶されている視聴時間のデータに基づいて前記録画データ記憶手段に記憶された番組データの視聴時間を予測して所定の出力手段に視聴予測時間を提示するステップＤと、
を実行させる録画再生処理のプログラム。
【請求項６】
前記ステップＤは、再生時間が指定されたときは、視聴予測時間がその指定された再生時間に収まる番組を前記視聴データ記憶手段から検索して前記出力手段に提示することを特徴とする請求項５に記載の録画再生処理のプログラム。
【請求項７】
前記ステップＤは、再生時間が指定されたときは、合計した視聴予測時間がその指定された再生時間に収まる番組の組み合わせを前記視聴データ記憶手段から検索して前記出力手段に提示することを特徴とする請求項５に記載の録画再生処理のプログラム。
【請求項８】
前記録画データ記憶手段に記憶された各番組データの録画時間と視聴予測時間との比を算出して各番組の重要度を判定するステップＥをさらに実行し、前記ステップＤは、再生時間が指定されたときは、前記ステップＥによる判定結果に基づいて提示する番組を選択することを特徴とする請求項６又は７に記載の録画再生処理のプログラム。
【発明の詳細な説明】
【技術分野】
【０００１】
本発明は、録画再生装置および録画再生処理のプログラムに関し、特に、テレビ放送の番組を録画して再生する録画再生装置および録画再生処理のプログラムに関するものである。
【背景技術】
【０００２】
ディジタルテレビ放送としては、現在、ＢＳ（放送衛星）ディジタル放送およびＣＳ（通信衛星）ディジタル放送が実施されているが、さらに、２００３年１２月から一部の地域で放送が開始された地上波ディジタル放送は、２０１１年以降は全国の全ての地域においてディジタル化される。このようなディジタルテレビ放送においては、番組の映像・音声データとは別に、番組の関連情報を送信することができる。その関連情報の中には、ＥＰＧ（Electronic Program Guide; 電子番組案内）が含まれている。このＥＰＧを利用することにより、視聴者は新聞等のテレビ番欄を必要とすることなく、番組名や内容等を閲覧して放送番組を確認することができる。さらに、所望の番組を選局したり、将来の放送番組に対する録画予約を行うことができる。
【０００３】
例えば、ある特許文献による放送受信装置、蓄積番組再生方法および配信番組選択方法の提案においては、外部番組コンテンツ供給源から番組データを取得して、配信される番組毎に当該番組を視聴するに必要な時間の情報を、現在時刻を基準にして表示する構成になっている。（特許文献１参照）
【特許文献１】特開２００４−３２８２４４号公報
【発明の開示】
【発明が解決しようとする課題】
【０００４】
しかしながら、上記特許文献１においては、番組を視聴するに必要な時間の情報を表示することはできるが、表示された情報は放送時間であり、実際に視聴する時間に対応するものではない。一般に、番組を録画した後に再生する場合には、ユーザは、必要でない部分は早送りしてスキップし、見たい部分をピックアップして再生する場合が多いので、録画時間に比べて再生時間が短くなる。例えば、月曜日から金曜日までの午後の決まった時間に、各界の著名なゲストを招いてインタビューする番組、あるいは、月曜日から土曜日までの朝の決まった時間に放送するドラマの番組などを録画し、日曜日にまとめて再生して視聴する場合には、ゲストやドラマの流れによっては早送りすることもある。また、スポーツ番組の場合には、エキサイティングな部分と緩慢で冗長な部分とが混在しているので、エキサイティングな部分だけをピックアップして再生する場合が多い。しかし、従来の技術においては、録画した番組データについて実際に視聴する時間までは把握できないという課題があった。
また、忙しい現代の生活においては、録画した番組を再生して視聴する十分な時間が取れないことも多い。このため、再生の途中で制限時間になって視聴を中止せざるを得ない場合や、逆に、いつもより早送りをし過ぎて制限時間に至る前に番組の再生が終了する場合のように、録画した番組を効率よく視聴できないという問題があった。
さらに、番組のジャンル、内容、出演者等に応じて再生中の早送りの頻度が異なることが多いが、その再生の履歴情報を活用することができなかった。
本発明は、このような従来の課題を解決するためのものであり、録画した番組データについて実際に視聴する時間を把握できるようにすることを目的とする。
また、本発明は、制限された時間の中で録画した番組を効率よく視聴できるようにすることを目的とする。
さらに、本発明は、録画した番組に再生の履歴を活用できるようにすることを目的とする。
【課題を解決するための手段】
【０００５】
請求項１に記載の録画再生装置は、テレビ放送の番組データをその番組名および放送時間のデータとともに録画データ記憶手段４に記憶する録画手段２と、録画データ記憶手段４に記憶された番組データが再生された際に、その番組名および視聴時間のデータを取得して視聴データ記憶手段７に記憶する視聴時間取得手段６と、再生指令に応じて録画データ記憶手段４に記憶された番組データを再生するとともに、再生時間の提示指令に応じて視聴データ記憶手段７に記憶されている視聴時間のデータに基づいて録画データ記憶手段４に記憶された番組データの視聴時間を予測して出力手段８に視聴予測時間を提示する再生手段５と、を備えた構成になっている。
【０００６】
請求項１の録画再生装置において、請求項２に記載したように、再生手段５は、再生時間が指定されたときは、視聴予測時間がその指定された再生時間（視聴希望時間）に収まる番組を視聴データ記憶手段７から検索して出力手段８に提示するような構成にしてもよい。
【０００７】
請求項１の録画再生装置において、請求項３に記載したように、再生手段５は、再生時間が指定されたときは、合計した視聴予測時間がその指定された再生時間に収まる番組の組み合わせを視聴データ記憶手段７から検索して出力手段８に提示するような構成にしてもよい。
【０００８】
請求項２又は３の録画再生装置において、請求項４に記載したように、録画データ記憶手段４に記憶された各番組データの録画時間と視聴予測時間との比を算出して各番組の重要度を判定する判定手段をさらに備え、再生手段５は、再生時間が指定されたときは、判定手段による判定結果に基づいて提示する番組を選択するような構成にしてもよい。
【０００９】
請求項５に記載の録画再生処理のプログラムは、コンピュータに、テレビ放送の番組データをその番組名および放送時間のデータとともに録画データ記憶手段４に記憶するステップＡと、再生指令に応じて録画データ記憶手段４に記憶された番組データを再生するステップＢと、録画データ記憶手段４に記憶された番組データがステップＢによって再生された際に、その番組名および視聴時間のデータを取得して視聴データ記憶手段７に記憶するステップＣと、再生時間の提示指令に応じて視聴データ記憶手段７に記憶されている視聴時間のデータに基づいて録画データ記憶手段４に記憶された番組データの視聴時間を予測して所定の出力手段に視聴予測時間を提示するステップＤと、を実行させる構成になっている。
【００１０】
請求項５の録画再生処理のプログラムにおいて、請求項６に記載したように、ステップＤは、再生時間が指定されたときは、視聴予測時間がその指定された再生時間（視聴希望時間）に収まる番組を視聴データ記憶手段から検索して出力手段８に提示するような構成にしてもよい。
【００１１】
請求項５の録画再生処理のプログラムにおいて、請求項７に記載したように、ステップＤは、再生時間が指定されたときは、合計した視聴予測時間がその指定された再生時間に収まる番組の組み合わせを視聴データ記憶手段７から検索して出力手段８に提示するような構成にしてもよい。
【００１２】
請求項６又は７の録画再生処理のプログラムにおいて、請求項８に記載したように、録画データ記憶手段４に記憶された各番組データの録画時間と視聴予測時間との比を算出して各番組の重要度を判定するステップＥをさらに実行し、ステップＤは、再生時間が指定されたときは、ステップＥによる判定結果に基づいて提示する番組を選択するような構成にしてもよい。
【発明の効果】
【００１３】
本発明の録画再生装置および録画再生処理のプログラムによれば、録画した番組データについて実際に視聴する時間を把握できるという効果が得られる。
また、本発明の録画再生装置および録画再生処理のプログラムによれば、制限された時間の中で録画した番組を効率よく視聴できるという効果が得られる。
また、本発明の録画再生装置および録画再生処理のプログラムによれば、録画した番組に再生の履歴を活用できるという効果が得られる。
【発明を実施するための最良の形態】
【００１４】
以下、本発明による録画再生装置の第１実施形態および第２実施形態について、図１ないし図９を参照して説明する。
図１および図２は、各実施形態における録画再生装置の構成を機能的に示した図である。ここで、図１はテレビ放送の番組データなどを録画する場合の機能を示し、図２は録画した番組データを再生する場合の機能を示している。
【００１５】
図１において、デマルチプレクサ１には受信したディジタル放送のＴＳ（トランスポート・ストリーム）が入力され、映像データ、音声データ、および番組情報データに分離して出力される。デマルチプレクサ１から出力された映像データおよび音声データは録画手段２に入力され、番組情報データは番組情報処理手段３に入力される。録画手段２は、リモコンなどの操作手段（図示せず）から録画指令が入力されたときは、映像データおよび音声データに対して所定の信号処理を行って、ハードディスクなどの録画データ記憶手段４に記憶する。番組情報処理手段３は、その番組情報データから番組名、放送時間、およびその他の必要な情報を抽出して、録画データ記憶手段４に記憶する。
【００１６】
図２において、再生手段５は、操作手段から番組名とともに再生指令が入力されたときは、その番組データを録画データ記憶手段４から読み出して再生する際に、番組名とともに再生時間を視聴時間取得手段６に出力する。この場合において、操作手段から早送り指令が入力されたときは再生時間の入力を中断し、その中断中に再生の再開指令が入力されたときは、再生時間の入力を再開する。視聴時間取得手段６は、再生開始から再生終了までの実際の再生時間を取得して、ハードディスクなどの視聴データ記憶手段７に記憶する。番組情報処理手段３は、再生手段５による番組データの再生に応じて、その番組データに対応する番組情報データの中から、番組名や放送時間を録画データ記憶手段４から読み出して視聴データ記憶手段７に記憶する。なお、再生手段５によって再生された番組データは、表示装置および発音装置からなる出力手段８に出力される。
【００１７】
図３は、録画データ記憶手段４に記憶されたデータのフォーマットを示す図である。この図に示すように、記憶された複数の番組１…番組ｊの各々について、映像データおよび音声データとともに、番組名、放送時間、その他の番組情報が記憶されている。
図４は、視聴データ記憶手段７に記憶されたデータのフォーマットを示す図である。この図に示すように、再生された複数の番組１…番組ｋの各々について、第１回録画再生時間から順に再生のたびに録画再生時間が記憶されている。なお、図４の例では、毎日又は不定期に継続して放送された同じ番組名のデータを示している。すなわち、月曜日から金曜日までゲストを招いて放送する継続した番組、月曜日から土曜日まで放送する継続したドラマの番組、１５日間に毎日放送される大相撲実況の番組、特定の曜日に継続して放送されるドラマやバラエティの番組のデータを示している。
したがって、同じ番組名であっても異なる日時に放送された番組を録画した場合には、録画ごとに別個のデータとして管理し、同じ日時に放送された番組を録画した後に、その録画番組が繰り返して再生された場合には、再生のたびに録画再生時間が更新される。
【００１８】
再生手段５は、再生時間の提示指令が入力されたときは、視聴データ記憶手段７に記憶されている各番組の録画再生時間に基づいて視聴予測時間を計算して、出力手段８の表示装置に表示して提示する。図５は、録画データ記憶手段４に記憶されている各番組の放送時間すなわち録画時間に対する視聴予測時間を示す表示画面の図である。ユーザは、表示された視聴予測時間と視聴できる時間とを考慮して、番組を選択して再生することができる。
【００１９】
以上のように、この第１実施形態によれば、テレビ放送の番組データをその番組名および放送時間のデータとともに録画データ記憶手段４に記憶する録画手段２と、録画データ記憶手段４に記憶された番組データが再生された際に、その番組名および視聴時間のデータを取得して視聴データ記憶手段７に記憶する視聴時間取得手段６と、再生指令に応じて録画データ記憶手段４に記憶された番組データを再生するとともに、再生時間の提示指令に応じて視聴データ記憶手段７に記憶されている視聴時間のデータに基づいて録画データ記憶手段４に記憶された番組データの視聴時間を予測して出力手段５に視聴予測時間を提示する再生手段５と、を備えている。
したがって、録画した番組データについて実際に視聴する時間を把握できる。
【００２０】
次に、本発明の録画再生装置の第２実施形態について、図６および図７を参照して説明する。
図６および図７は、第２実施形態における録画再生装置の動作を示すフローチャートおよび表示画面の図である。図７（１）に示すように、希望時間の入力を促すメッセージに対して時間が入力され、決定の指示がされたときは、視聴希望時間の取得を行う（ステップＳ１１）。次に、録画データ記憶手段４から録画番組リストを取得する（ステップＳ１２）。次に、視聴データ記憶手段７に記憶されている録画再生時間に基づいて、各録画番組の視聴予測時間を計算して取得する（ステップＳ１３）。そして、図７（２）に示すように、視聴予測時間が視聴希望時間に最も近い録画番組を、一つ又は複数決定し、ユーザに提示する（ステップＳ１４）。
【００２１】
以上のように、この第２実施形態によれば、再生手段５は、再生時間が指定されたときは、その指定された再生時間すなわち希望時間に収まる番組を視聴データ記憶手段７から検索して出力手段８に提示する。
したがって、制限された時間の中で録画した番組を効率よく視聴できる。
【００２２】
次に、第２実施形態の変形例について説明する。
図８および図９は、第２実施形態の変形例における録画再生装置の動作を示すフローチャートおよび表示画面の図である。図９（１）に示すように、希望時間の入力を促すメッセージに対して時間が入力され、決定の指示がされたときは、視聴希望時間の取得を行う（ステップＳ２１）。次に、録画データ記憶手段４から録画番組リストを取得する（ステップＳ２２）。次に、視聴データ記憶手段７に記憶されている録画再生時間に基づいて、各録画番組の視聴予測時間を計算して取得する（ステップＳ２３）。そして、視聴予測時間が希望時間に最も近い番組を選択し、選択した番組の視聴予測時間を希望時間から差し引いた残り時間を計算し、視聴予測時間が残り時間に近い番組を選択する（ステップＳ２４）。すなわち、図９（２）に示すように、視聴予測時間が希望時間に収まる録画番組の組み合わせを提示する。
【００２３】
以上のように、この変形例によれば、再生手段５は、再生時間が指定されたときは、合計した視聴予測時間がその指定された再生時間すなわち希望時間に収まる番組の組み合わせを視聴データ記憶手段７から検索して出力手段８に提示する。
したがって、第２実施形態と同様に、制限された時間の中で録画した番組を効率よく視聴できる。
【００２４】
次に、第２実施形態の他の変形例について説明する。
この変形例においては、録画時間と視聴予測時間との比を計算して、その計算結果に応じて重要度を判定する。そして、その判定結果を番組の選択に反映させる。例えば、視聴予測時間が録画時間の１／３に満たない番組については、重要度がかなり低いと判定して、番組選択のリストから外す。
さらに、選択対象の番組が複数ある場合に、視聴予測時間がほぼ同じである場合には、重要度の高い順に表示する構成にしてもよい。
【００２５】
以上のように、この変形例によれば、録画データ記憶手段４に記憶された各番組データの録画時間と視聴予測時間との比を算出して、各番組の重要度を判定する判定手段をさらに備え、再生手段５は、再生時間が指定されたときは、判定手段による判定結果に基づいて提示する番組を選択する。
したがって、録画した番組に再生の履歴を活用できる。
【００２６】
なお、上記各実施形態においては、録画データ記憶手段４と視聴データ記憶手段７とを別個の記憶手段として構成したが、録画データ記憶手段４と視聴データ記憶手段７とをハードディスクなどの同じ記憶手段によって構成し、録画データと視聴データとを別のエリアで管理することも可能である。
【００２７】
また、上記各実施形態においては、あらかじめ装置内に記憶された録画再生処理のプログラムを実行する装置の発明について説明したが、フレキシブルディスク（ＦＤ）、ＣＤ、ＭＤ、メモリカードなどの外部記憶媒体に記録されているプログラムを不揮発性メモリにインストールしたり、インターネットなどのネットワークからダウンロードしたプログラムを不揮発性メモリにインストールして、そのプログラムを装置によって実行することも可能である。この場合には、プログラムの発明やそのプログラムを記録した記録媒体の発明を実現できる。
【００２８】
すなわち、本発明による録画再生処理のプログラムは、コンピュータに、テレビ放送の番組データをその番組名および放送時間のデータとともに録画データ記憶手段に記憶するステップＡと、再生指令に応じて前記録画データ記憶手段に記憶された番組データを再生するステップＢと、前記録画データ記憶手段に記憶された番組データが前記ステップＢによって再生された際に、その番組名および視聴時間のデータを取得して視聴データ記憶手段に記憶するステップＣと、再生時間の提示指令に応じて前記視聴データ記憶手段に記憶されている視聴時間のデータに基づいて前記録画データ記憶手段に記憶された番組データの視聴時間を予測して所定の出力手段に視聴予測時間を提示するステップＤと、を実行させる。
【００２９】
前記ステップＤは、再生時間が指定されたときは、視聴予測時間がその指定された再生時間に収まる番組を前記視聴データ記憶手段から検索して前記出力手段に提示する。
【００３０】
前記ステップＤは、再生時間が指定されたときは、合計した視聴予測時間がその指定された再生時間に収まる番組の組み合わせを前記視聴データ記憶手段から検索して前記出力手段に提示する。
【００３１】
前記録画データ記憶手段に記憶された各番組データの録画時間と視聴予測時間との比を算出して各番組の重要度を判定するステップＥをさらに実行し、前記ステップＤは、再生時間が指定されたときは、前記ステップＥによる判定結果に基づいて提示する番組を選択する。
【図面の簡単な説明】
【００３２】
【図１】本発明の実施形態における録画再生装置の録画機能の構成を示す図。
【図２】本発明の実施形態における録画再生装置の再生機能の構成を示す図。
【図３】録画データ記憶手段に記憶されたデータのフォーマットを示す図。
【図４】視聴データ記憶手段７に記憶されたデータのフォーマットを示す図。
【図５】録画データ記憶手段に記憶されている各番組の放送時間に対する視聴予測時間を示す表示画面の図。
【図６】本発明の第２実施形態における録画再生装置の動作を示すフローチャート。
【図７】本発明の第２実施形態における録画再生装置の動作を示す表示画面の図。
【図８】本発明の第２実施形態の変形例における録画再生装置の動作を示すフローチャート。
【図９】本発明の第２実施形態の変形例における録画再生装置の動作を示す表示画面の図。
【符号の説明】
【００３３】
１  マルチプレクサ
２  録画手段
３  番組情報処理手段
４  録画データ記憶手段
５  再生手段
６  視聴時間取得手段
７  視聴データ記憶手段
８  出力手段
【図１】
2006295420.tif 000003
【図２】
2006295420.tif 000004
【図３】
2006295420.tif 000005
【図４】
2006295420.tif 000006
【図５】
2006295420.tif 000007
【図６】
2006295420.tif 000008
【図７】
2006295420.tif 000009
【図８】
2006295420.tif 000010
【図９】
2006295420.tif 000011